(57)【要約】      （修正有）【課題】複数のＩＣカードの誤ったカード収容部への挿入を回避するとともに、逆差し等の誤った挿入操作も確実に回避する、ＩＣカード誤挿入防止機構、およびそれを備えるＩＣカード用コネクタを提供する。【解決手段】カード収容部１４に配される誤挿入防止機構の一部を構成する誤挿入規制部材２２は、両端に軸部２２ＳＬ，２２ＳＲをそれぞれ有するとともに、軸部２２ＳＬと軸部２２ＳＲを連結する連結部２２ｔを中央に有し、当接面２２ｔにおける左端の一部に所定の高さを有する突起部２２Ｐが形成されており、ＭＭＣマイクロカードが正規の挿入孔操作の場合、にはＭＭＣマイクロカードの先端部が干渉せず、ＭＭＣマイクロカードの裏差しまたは逆差しの場合に先端の角が干渉して誤挿入を規制する構造とした。【選択図】図１
2007323944.tif 000002
【特許請求の範囲】
【請求項１】
互いに形状の異なる複数のＩＣカードの着脱方向に対し横切る方向に延在し回動可能にＩＣカード収容部に支持され、該複数のＩＣカードのうちの第１のＩＣカードが該ＩＣカード収容部に装着されるとき、該第１のＩＣカードの進行方向の端部が一方向に向くように該第１のＩＣカードの進行方向の端部を誘導する第１の位置の状態をとり、該複数のＩＣカードのうちの第２のＩＣカードが該ＩＣカード収容部に装着されるとき、該第１の位置の状態から回動され、該第２のＩＣカードの進行方向の端部が他方向に向かうように誘導する第２の位置の状態をとる誤挿入規制部材と、
前記誤挿入規制部材を前記複数のＩＣカードの排出方向に付勢する付勢部材と、
前記誤挿入規制部材の両端に形成される係合部に係合される開口部を有する弾性変位可能な可動片をそれぞれ有し、前記第１のＩＣカードが該ＩＣカード収容部に装着されるとき、該誤挿入規制部材の第１の位置を選択的に維持する一対のロック部材と、を備え、
前記誤挿入規制部材は、前記第２のＩＣカードが前記ＩＣカード収容部に対し裏差し、または、逆差しされる場合、該第２のＩＣカードの裏差し、または、逆差しの挿入を規制する突起部を有することを特徴とするＩＣカード誤挿入防止機構。
【請求項２】
前記ＩＣカード収容部を覆うカバー部材は、前記第１のＩＣカードの裏差し、または、逆差しの挿入を規制する突起部を有することを特徴とする請求項１記載のＩＣカード誤挿入防止機構。
【請求項３】
互いに形状の異なる第１および第２のＩＣカードのうちの一方のＩＣカードが選択的に通過可能な共通のカードスロットを有するとともに、該第１および第２のＩＣカードの電極部を電気的に接続する複数種類のコンタクト端子群を有し、該第１または第２のＩＣカードを収容するＩＣカード収容部と、
請求項１記載のＩＣカード誤挿入防止機構と、
を具備して構成されるＩＣカード用コネクタ。
【発明の詳細な説明】
【技術分野】
【０００１】
本発明は、ＩＣカード誤挿入防止機構、および、それを複合のカード収容部内に備えるＩＣカード用コネクタに関する。
【背景技術】
【０００２】
電子機器において、一般に、ＭＭＣ（ｍｕｌｔｉ  ｍｅｄｉａ  ｃａｒｄ）カード（商標）、ＳＤ（ｓｅｃｕｒｅ  ｄｉｇｉｔａｌ）カード等のＩＣカードをその各機器にＩＣカードコネクタを介して装着することにより、各種の機能拡張が行なわれている。
【０００３】
また、ＩＣカードコネクタにおいては、互いに形状の異なる複数のＩＣカードを一つの電子機器内に装着し利用するために例えば、特許文献１および特許文献２にも示されるように、各ＩＣカードの共通のカードスロットを有し、各ＩＣカードが１枚づつ選択的に着脱される複合のカード収容部を設けたものが実用に供されている。
【０００４】
このような複合のカード収容部を有するＩＣカードコネクタにおいては、各カード収容部は、その一部を互いに重複するようにＩＣカードの着脱方向に沿って階層的に形成されている。各カード収容部には、各ＩＣカードのコンタクトパッドに対応したコンタクト端子群がそれぞれ個別に設けられている。
【０００５】
斯かる構成においては、所定のＩＣカードの正規のカード収容部とは異なる他のカード収容部への使用者による誤った挿入操作の回避、あるいは、挿入操作のとき、そのＩＣカードによって利用されないコンタクト端子群の損傷を回避しつつ、ＩＣカードの円滑な着脱を可能とすることが必要とされる。
【０００６】
この必要な対策として、例えば、特許文献１および２にも示されるように、所定のＩＣカードの誤ったカード収容部への挿入操作を規制する誤挿入規制部材を含む誤挿入防止機構を、共通のカードスロット近傍の内部に備えるものが提案されている。
【０００７】
誤挿入防止機構は、例えば、複数のＩＣカードのうちの第１のＩＣカードに比べて比較的横幅の狭い第２のＩＣカードの第１のＩＣカード用のカード収容部への誤った挿入操作を規制する誤挿入規制部材と、第２のＩＣカードの誤った挿入を規制する第１の状態（ロック状態）と、比較的横幅の広い第１のＩＣカードの挿入を可能とする第２の状態（アンロック状態）とを誤挿入規制部材にとらせるロック／アンロック機構と、誤挿入規制部材をカード挿入方向とは反対方向に付勢する付勢部材とを含んで構成されている。
【０００８】
その誤挿入規制部材は、各ＩＣカードの着脱方向に対し略直交しカード収容部のカードスロット側の端部を横切り跨るように延在している。誤挿入規制部材の下方には、上述の第１の状態のとき、第２のＩＣカードが通過し得る狭い開口が形成されている。誤挿入規制部材の両端部は、それぞれ、移動可能にカード収容部の周辺に支持されるとともに、上述のロック／アンロック機構におけるロック用部材の係合部に選択的に係合可能とされる構成を有している。ロック用部材の係合部は、弾性変位可能とされる。
【０００９】
斯かる構成において、誤挿入規制部材は、その両端部がそれぞれロック用部材の係合部に係合される場合、上述の第１の状態にロック状態とされる。即ち、ロック状態とされる誤挿入規制部材により、第２のＩＣカードの第１のＩＣカード用のカード収容部への挿入操作が規制されることとなる。これにより、第２のＩＣカードは、誤挿入規制部材の下方の狭い開口を通じて所定のカード収容部に装着されることとなる。
【００１０】
一方、第１のＩＣカードが装着される場合、そのＩＣカードの先端がカードスロットを通過した直後に、挿入されるＩＣカードの両側部により、それぞれロック用部材が押圧されることにより、誤挿入規制部材の両端部がそれぞれロック用部材の係合部に対し非係合状態とされる。
【００１１】
これにより、誤挿入規制部材はロック状態からアンロック状態とされ、さらにＩＣカードが上述の付勢部材の付勢力に抗して押し込まれることによって、例えば、その誤挿入規制部材がＩＣカードの通路から離隔し待機するように移動されるとともに、第１のＩＣカードが誤挿入規制部材の上方を通過して第１のＩＣカード用のカード収容部に装着されることとなる。
【００１２】
ＩＣカードコネクタにおいて、使用者により各ＩＣカードが、コンタクトパッドが設けられていない端部側を進行方向に向けてその端部からカード収容部に誤って挿入される場合、所謂、ＩＣカードの逆差しが行なわれる場合がある。
【００１３】
このような場合における対策としては、例えば、特許文献３にも示されるように、その内部に突出する突起片がカード収容部の一部を形成するカバー部材に設けられるものが提案されている。その突起片が設けられる位置は、例えば、ＩＣカードが正規の挿入方向で挿入される場合、その突起片がＩＣカードの端部に干渉しない位置とされ、一方、ＩＣカードの逆差しの場合、コンタクト端子の接点の配置位置よりもカードスロット側に近い位置であってその突起片がＩＣカードの端部に干渉するような位置に設定されている。これにより、誤って逆差しされたＩＣカードの端部が突起片に当接することによってＩＣカードの逆差しによるコンタクト端子の損傷が回避されることとなる。
【００１４】
【特許文献１】特開２００４−３１１４１６号公報
【特許文献２】特開２００４−１９３１１１号公報
【特許文献３】特開２００３−３１２８６号公報
【発明の開示】
【発明が解決しようとする課題】
【００１５】
しかしながら、仮に、第１のＩＣカードの逆差し等の誤った挿入操作の回避対策として上述のような突起片がカバー部材に設けられた場合であっても、第２のＩＣカードの逆差しによるコンタクト端子の損傷ついては回避できない虞がある。斯かる場合の対策としては、第２のＩＣカード用のイジェクト機構が備えられる場合にあっては、逆差しの場合、イジェクト機構におけるイジェクト部材のカード受け部に第２のＩＣカードの端部の角部が係合しないように、カード受け部の形状を形成することにより、逆差しを規制することも考えられるが、第２のＩＣカードの両端部の角部の形状がそれぞれ互いに類似した形状であるとき、その判別が困難となる虞があるので得策とは言えない。
【００１６】
以上の問題点を考慮し、本発明は、ＩＣカード誤挿入防止機構、およびそれを複合のカード収容部内に備えるＩＣカード用コネクタであって、複数のＩＣカードの誤ったカード収容部への挿入を回避するとともに、逆差し等の誤った挿入操作も確実に回避できるＩＣカード誤挿入防止機構、および、それを備えるＩＣカード用コネクタを提供することを目的とする。
【課題を解決するための手段】
【００１７】
上述の目的を達成するために、本発明に係るＩＣカード誤挿入防止機構は、互いに形状の異なる複数のＩＣカードの着脱方向に対し横切る方向に延在し回動可能にＩＣカード収容部に支持され、複数のＩＣカードのうちの第１のＩＣカードがＩＣカード収容部に装着されるとき、第１のＩＣカードの進行方向の端部が一方向に向くように第１のＩＣカードの進行方向の端部を誘導する第１の位置の状態をとり、複数のＩＣカードのうちの第２のＩＣカードがＩＣカード収容部に装着されるとき、第１の位置の状態から回動され、第２のＩＣカードの進行方向の端部が他方向に向かうように誘導する第２の位置の状態をとる誤挿入規制部材と、誤挿入規制部材を複数のＩＣカードの排出方向に付勢する付勢部材と、誤挿入規制部材の両端に形成される係合部に係合される開口部を有する弾性変位可能な可動片をそれぞれ有し、第１のＩＣカードがＩＣカード収容部に装着されるとき、誤挿入規制部材の第１の位置を選択的に維持する一対のロック部材と、を備え、誤挿入規制部材は、第２のＩＣカードがＩＣカード収容部に対し裏差し、または、逆差しされる場合、第２のＩＣカードの裏差し、または、逆差しの挿入を規制する突起部を有することを特徴とする。
【００１８】
また、本発明に係るＩＣカード用コネクタは、互いに形状の異なる第１および第２のＩＣカードのうちの一方のＩＣカードが選択的に通過可能な共通のカードスロットを有するとともに、第１および第２のＩＣカードの電極部を電気的に接続する複数種類のコンタクト端子群を有し、第１または第２のＩＣカードを収容するＩＣカード収容部と、上述のＩＣカード誤挿入防止機構と、を備えて構成される。
【発明の効果】
【００１９】
以上の説明から明らかなように、本発明に係るＩＣカード誤挿入防止機構、および、それを備えるＩＣカード用コネクタによれば、誤挿入規制部材は、第２のＩＣカードがＩＣカード収容部に対し裏差し、または、逆差しされる場合、第２のＩＣカードの裏差し、または、逆差しの挿入を規制する突起部を有するので複数のＩＣカードの誤ったカード収容部への挿入を回避するとともに、逆差し等の誤った挿入操作も確実に回避できる。
【発明を実施するための最良の形態】
【００２０】
図２は、本発明に係るＩＣカード誤挿入防止機構を備えるＩＣカード用コネクタの一例の外観を示す。
【００２１】
図２に示されるＩＣカード用コネクタは、所定の電子機器、例えば、携帯電話機、ＰＤＡ、カメラ等の内部に配されるものとされる。
【００２２】
図２に示されるＩＣカード用コネクタは、例えば、そのカード収容部に着脱可能に収容されるＩＣカードとしてのメモリカード、例えば、第１のＩＣカードとしてのマイクロＳＤカード（商標）ＳＭＣ、または、第２のＩＣカードとしてのＭＭＣマイクロカード（商標）ＳＭＣ（図６参照）のうちのいずれかの電極部と所定の電子機器の内部に配される信号入出力用等の基板の接続端子部とを電気的に接続するものとされる。
【００２３】
マイクロＳＤカードＳＭＣの形状寸法は、縦、横、厚さがそれぞれ１５ｍｍ、１１ｍｍ、１．０ｍｍ程度とされ、また、ＭＭＣマイクロカードＭＭＣの形状寸法は、縦、横、厚さがそれぞれ１４ｍｍ、１２ｍｍ、１．１ｍｍ程度とされる。
【００２４】
なお、ＩＣカードは、上述のマイクロＳＤカード等に限られることなく、互いに横幅の異なる二種類のＭＭＣ（ｍｕｌｔｉ  ｍｅｄｉａ  ｃａｒｄ）カード（商標）、フラッシュメモリまたは超小型のハードディスクを内蔵したメモリカード、ＳＩＭ（ｓｕｂｓｃｒｉｂｅｒ  ｉｄｅｎｔｉｔｙ  ｍｏｄｕｌｅ）カード等のいずれかの中から選択されるものであってもよい。
【００２５】
ＩＣカード用コネクタは、図３および図４に示されるように、収容されるマイクロＳＤカードＳＭＣまたはＭＭＣマイクロカードＭＭＣに対する電気的接続を行う複数のコンタクト端子等が配列されるベース部材１２と、ベース部材１２と協働して各カードの複合の収容部を形成するカバー部材１０とを含んで構成されている。
【００２６】
門形状断面形状を有するカバー部材１０は、薄板の金属材料で形成されている。カバー部材１０の一方の側面部には、図８に示されるように、後述するベース部材１２の爪部がそれぞれ、係合される係合孔１０ｅ，１０ｆ，１０ｇおよび１０ｈがその爪部に対応して形成されている。カバー部材１０の他方の側面部には、後述するベース部材１２の爪部がそれぞれ、係合される複数の係合孔（不図示）が形成されている。
【００２７】
従って、カバー部材１０は、その各係合孔１０ｅ〜１０ｈ等と、ベース部材１２の各爪部とがそれぞれ係合されることにより、ベース部材１２に対し固定されることとなる。
【００２８】
また、図２に示されるように、カバー部材１０の両側面部を連結する上面部における一方の側面部側には、後述するイジェクト機構２４におけるカムレバー２４Ｌを移動可能に支持する押さえバネ１０ｆｃが設けられている。弾性を有する押さえバネ１０ｆの基端部は、カバー部材１０に一体に形成されている。押さえバネ１０ｆは、例えば、カバー部材１０の一部がプレス加工によりその内側に向けて打ち抜かれて形成されている。従って、カバー部材１０における押さえバネ１０ｆに対応する部分の周囲には、開口１０ｂが形成されている。
【００２９】
ベース部材１２におけるカード収容部１４は、図３に示されるように、上方、および後述するコンタクト端子固定部側とは反対側の端部が、開口している。カード収容部１４は、その上方側部分に、マイクロＳＤカードＳＭＣ（図１２参照）が収容され、その下方側部分にその一部重複してＭＭＣマイクロカードＭＭＣ（図６参照）が収容されるような複合的なカード収容部とされる。
【００３０】
従って、上述のカバー部材１０によりベース部材１２が覆われることにより、カード収容部１４の一方の端部にマイクロＳＤカードＳＭＣおよびＭＭＣマイクロカードＭＭＣのうちの一方が選択的に通過される共通のカードスロットが形成されることとなる。
【００３１】
その共通のカードスロットとしての開口端部は、図４に示されるように、挿入されるマイクロＳＤカードＳＭＣおよびＭＭＣマイクロカードＭＭＣの形状に対応したＴ形溝のような形状を有する横断面を有している。
【００３２】
そのＴ形溝のような開口端部は、略長方形横断面を有し、ＭＭＣマイクロカードＭＭＣが通過する第１の案内部１２Ｓａと、第１の案内部１２Ｓａの上部に連なって形成され、マイクロＳＤカードＳＭＣが通過する第２の案内部１２Ｓｂとにより形成されている。
【００３３】
第２の案内部１２Ｓｂの横幅は、挿入されるマイクロＳＤカードＳＭＣの両側部に対し所定の隙間を形成するようにその下方に形成される第１の案内部１２Ｓａの横幅よりも小に設定されている。また、第１の案内部１２Ｓａの横幅は、挿入されるＭＭＣマイクロカードＭＭＣの両側部に対し所定の隙間を形成するように設定されている。
【００３４】
これにより、マイクロＳＤカードＳＭＣおよびＭＭＣマイクロカードＭＭＣの進行方向側の端部は、それぞれ、第２の案内部１２Ｓｂおよび第１の案内部１２Ｓａに案内されて通過することとなる。
【００３５】
従って、ＭＭＣマイクロカードＭＭＣの先端部が、誤って第２の案内部１２Ｓｂに誘い込まれる虞がない。
【００３６】
ベース部材１２は、例えば、成形樹脂材料で一体に成形されている。ベース部材１２は、図６に示されるように、マイクロＳＤカードＳＭＣおよびＭＭＣマイクロカードＭＭＣが着脱可能に収容されるカード収容部１４の両側部をそれぞれ形成する側壁１２ＲＷ、１２ＬＷと、ＭＭＣマイクロカードＭＭＣ用のコンタクト端子１８ａｉ（ｉ＝１〜１０）、マイクロＳＤカードＳＭＣ用のコンタクト端子１６ａｉ（ｉ＝１〜８）が固定されるコンタクト端子固定壁部１２ＦＷとを含んで構成されている。
【００３７】
側壁１２ＬＷの外面には、図３に示されるように、上述のカバー部材１０の係合孔１０ｅ〜１０ｈに対応して爪部１２ｅ，１２ｆ、１２ｇ、および１２ｈが形成されている。側壁１２ＲＷの外面にも、同様な爪部が上述のカバー部材１０の係合孔に対応して複数箇所に爪部１２ａ，１２ｂ，１２ｃ，および１２ｄが形成されている。
【００３８】
例えば、複数のコンタクト端子１６ａｉは、図６に示されるように、所定の相互間隔で側壁１２ＲＷ，１２ＬＷに対して略平行に、カード収容部１４におけるコンタクト端子固定壁部１２ＦＷに近い部分に配列されている。また、複数のコンタクト端子１８ａｉは、所定の相互間隔で側壁１２ＲＷ，１２ＬＷに対して略平行に、カード収容部１４におけるカードスロットに近い位置に配列されている。
【００３９】
コンタクト端子１６ａｉは、弾性を有しマイクロＳＤカードＳＭＣのコンタクトパッドに当接し電気的に接続される接点部と、配線基板（不図示）の電極部に半田付け固定され電気的に接続される半田付端子部と、その接点部と半田付端子部とを相互に連結し、ベース部材１２に固定される固定部とを含んで構成されている。薄板金属材料、例えば、バネ用燐青銅で作られるコンタクト端子１６ａｉの固定部は、図示が省略されるが、コンタクト端子固定壁部１２ＦＷに形成される溝に、コンタクト端子固定壁部１２ＦＷに形成される透孔を通じてマイクロＳＤカードＳＭＣの挿入方向とは反対方向の側から圧入されることにより、ベース部材１２に固定されている。
【００４０】
コンタクト端子１８ａｉは、弾性を有しＭＭＣマイクロカードＭＭＣのコンタクトパッドに当接し電気的に接続される接点部と、上述の配線基板の電極部に半田付け固定され電気的に接続される半田付端子部と、その接点部と半田付端子部とを相互に連結し、ベース部材１２に固定される固定部とを含んで構成されている。コンタクト端子１８ａｉの固定部は、図示が省略されるカード収容部１４の底部に形成される溝に、ＭＭＣマイクロカードＭＭＣの挿入方向側から圧入されることにより、ベース部材１２に固定されている。
【００４１】
コンタクト端子１８ａｉの上方には、挿入されたマイクロＳＤカードＳＭＣをコンタクト端子１６ａｉに向けて案内する仕切板３０が設けられている。仕切板３０の両端は、それぞれ折り曲げられ、側壁１２ＲＷおよび１２ＬＷの内側に支持されている。このように仕切板３０がカード収容部１４の側壁１２ＲＷおよび１２ＬＷを跨ぐように配置されるのでベース部材１２の曲げ剛性も高められる。仕切板３０の表面には、複数個のダボ３０ａが所定の間隔をもって形成されている。ダボ３０ａは、マイクロＳＤカードＳＭＣのコンタクトパッドが仕切板３０の表面に接触しないようにするものとされる。
【００４２】
また、コンタクト端子１６ａｉおよび１８ａｉの半田付端子部は、図３に示されるように、それぞれ、コンタクト端子固定壁部１２ＦＷの孔を通じて外部に向けて突出している。
【００４３】
側壁１２ＲＷの内側部分には、図３に示されるように、マイクロＳＤカードＳＭＣをカード収容部１４に保持するとともに、カード収容部１４からマイクロＳＤカードＳＭＣを選択的に排出するイジェクト機構２４が設けられている。
【００４４】
イジェクト機構２４は、ベース部材１２に対し移動可能に支持され、マイクロＳＤカードＳＭＣを選択的に保持するイジェクト部材２４Ｊと、ベース部材１２のコンタクト端子固定壁部１２ＦＷおよびイジェクト部材２４Ｊ相互間に介装され、イジェクト部材２４ＪをマイクロＳＤカードＳＭＣの排出方向に付勢するコイルスプリング２４Ｓと、マイクロＳＤカードＳＭＣの着脱操作に応じてイジェクト部材２４Ｊを選択的にベース部材１２に対し保持または解放する制御を行うイジェクト部材制御部と、を含んで構成されている。
【００４５】
イジェクト部材２４Ｊは、図１２に示されるように、マイクロＳＤカードＳＭＣにおける端面が当接した状態でマイクロＳＤカードＳＭＣを保持するアーム部を有しベース部材１２に対して摺動可能に支持されている。その略長方形のアーム部は、マイクロＳＤカードＳＭＣの着脱方向に対し略直交する方向に沿ってカード収容部１４内に突出するように延びている。アーム部の上面部には、その下面部に形成される切欠部に対向して凸部２４Ｐが形成されている。突起部２４Ｐは、その切欠部によりアーム部の強度が低下しないように補強するものとされる。
【００４６】
イジェクト部材制御部は、特開２００４−３１１４１６号公報にも示されるようなイジェクト部材２４Ｊにおける側壁１２ＲＷ側に形成された略ハート形状のカム要素（ハートカム）と、ハートカムの周囲に形成された複数の段差部からなるレバー案内溝と、一方の端部が側壁１２ＲＷの孔に連結され、他方の端部がレバー案内溝に沿って摺動せしめられる門形状のカムレバー２４Ｌと、上述のカバー部材１０の押えバネ１０ｆ（図２参照）とを含んで構成されている。
【００４７】
押えバネ１０ｆは、カムレバー２４Ｌの屈曲された先端をレバー案内溝の案内面に対し摺接するように付勢するものとされる。これにより、カムレバー２４Ｌの一端部が、イジェクト部材２４Ｊの動作に追従してレバー案内溝を構成する各案内溝を順次、経由して案内され、ハートカムに形成されるカム面に一旦、保持されることによって、マイクロＳＤカードＳＭＣを伴うイジェクト部材２４Ｊがカード収容部１４内に保持されることとなる。そして、マイクロＳＤカードＳＭＣのさらなる上述の挿入方向に沿った押し込み操作により、そのカムレバー２４Ｌの一端部が、カム面から離隔されるとき、マイクロＳＤカードＳＭＣを伴うイジェクト部材２４Ｊがコイルスプリング２４Ｓの付勢力によりカード排出方向に移動せしめられる。
【００４８】
また、イジェクト部材２４Ｊには、図６に示されるように、挿入されたＭＭＣマイクロカードＭＭＣを選択的に保持するイジェクト部材２４ＪＳが一体に形成されている。イジェクト部材２４ＪＳは、イジェクト部材２４Ｊの位置よりも所定距離だけカードスロット側に近い位置にイジェクト部材２４Ｊに対し略平行に配置されている。また、イジェクト部材２４ＪＳは、イジェクト部材２４Ｊの位置より若干低い位置に配されている。これにより、ＭＭＣマイクロカードＭＭＣも上述のイジェクト機構２４により同様な動作で着脱可能とされ、カード装着方向またはカード排出方向に移動せしめられる。
【００４９】
側壁１２ＬＷにおけるイジェクト機構２４に相対向した部分には、マイクロＳＤカードＳＭＣの装着の有無を検出する検出スイッチ３８が設けられている。
【００５０】
さらに、カード収容部１４における側壁１２ＲＷ、１２ＬＷの内側には、カード誤挿入防止機構が設けられている。カード誤挿入防止機構は、図１２に示されるように、挿入されるマイクロＳＤカードＳＭＣの進行方向の端部が当接することにより、ＭＭＣマイクロカードＭＭＣのコンタクト端子１８ａｉ側への誤った侵入を規制するとともに、マイクロＳＤカードＳＭＣをコンタクト端子１６ａｉが配置される所定のカード収容部に案内する誤挿入規制部材２２と、誤挿入規制部材２２をロック状態、またはアンロック状態とする一対のロック部材２８Ｒ、２８Ｌと（図１５（Ａ）〜１５（Ｃ）参照）、誤挿入規制部材２２を一方向に付勢する一対のねじりコイルバネ３２と、を含んで構成されている。
【００５１】
クランクのように形成される誤挿入規制部材２２は、図１および図５に拡大されて示されるように、両端に軸部２２ＳＬ、２２ＳＲをそれぞれ有するとともに、軸部２２ＳＬと軸部２２ＳＲとを連結する連結部２２Ｔを中央部に有している。
【００５２】
円柱状の軸部２２ＳＬ、２２ＳＲは、それぞれ、ベース部材１２のカード収容部１４内に形成される軸受部に回動可能に支持されている。また、軸部２２ＳＬ、２２ＳＲの半径方向の移動は、図１３に示されるように、それぞれ、後述するねじりコイルバネ３２がベース部材１２に固定されるより規制されている。軸部２２ＳＬ、２２ＳＲの外周部には、それぞれ、ねじりコイルバネ３２が巻装されている。各ねじりコイルバネ３２の一端は、誤挿入規制部材２２の端部に係止され、また、各ねじりコイルバネ３２の他端は、ベース部材１２の側壁に係止されている。
【００５３】
これにより、誤挿入規制部材２２は、図１に示される矢印の示す方向とは反対方向、即ち、軸部２２ＳＬ、２２ＳＲを中心として図１において時計回り方向に付勢されることとなる。
【００５４】
連結部２２Ｔは、マイクロＳＤカードＳＭＣの進行方向の先端を案内誘導する窪み２２ａを有している。窪み２２ａを形成する周縁における長手方向の一方の端部に、挿入されるマイクロＳＤカードＳＭＣまたはＭＭＣマイクロカードＭＭＣの端部が当接する当接面２２ｔを有している。図１および図５において、当接面２２ｔにおける左端の一部には、所定の高さを有する突起部２２Ｐが形成されている。
【００５５】
突起部２２Ｐは、後述するように、ＭＭＣマイクロカードＭＭＣの誤った裏差し操作、または、逆差し操作を規制するものとされる。突起部２２Ｐの高さは、図１において時計回り方向に約９０°回転したとき、図８に示されるように、裏差し操作、または、逆差し操作のとき、突起部２２Ｐの先端が通過するＭＭＣマイクロカードＭＭＣの端部に干渉する程度の高さに設定されている。また、突起部２２Ｐの位置は、図６に示されるように、ＭＭＣマイクロカードＭＭＣの正規の挿入操作の場合、ＭＭＣマイクロカードＭＭＣの先端部が干渉せず、側方を通過し得る位置とされ、一方、ＭＭＣマイクロカードＭＭＣの裏差し操作、または、逆差し操作のとき、ＭＭＣマイクロカードＭＭＣの先端部の角が干渉する位置に設定されている。
【００５６】
軸部２２ＳＬ、２２ＳＲがそれぞれ連結される連結部２２Ｔの両端には、後述するロック部材２８Ｒ、２８Ｌの可動片２８Ｒｍおよび２８Ｌｍの開口部２８Ｈの周縁部にそれぞれ、係止される切欠部２２Ｎが形成されている。切欠部２２Ｎは、上述の連結部２２Ｔにおける当接面２２ｔに対向する端面側に開口している。
【００５７】
従って、可動片２８Ｒｍおよび２８Ｌｍの開口部２８Ｈの周縁部に係合される鉤状の係合部２２ＥＲおよび２２ＥＬが、それぞれ、連結部２２Ｔの両端に形成されることとなる。
【００５８】
一対のロック部材２８Ｒ、２８Ｌは、互いに同一の構造を有するのでロック部材２８Ｒについて説明し、ロック部材２８Ｌの説明を省略する。ロック部材２８Ｒ、２８Ｌは、それぞれ、図１５（Ａ）に示されるように、ベース部材１２の底面部の外面に形成される溝１２Ｇ内に配されている。各溝１２Ｇは、コンタクト端子１８ａｉに対応して形成されるスリット１２Ｓｉ（ｉ＝１〜１０）の配列の両脇であって側壁１２ＲＷ、１２ＬＷの真下となる位置に形成されている。
【００５９】
ロック部材２８Ｒは、図１５（Ｃ）に拡大されて示されるように、溝１２Ｇの内側に直線状に形成される溝１２ｇに圧入される固定片２８Ｒｆと、固定片２８Ｒｆの一端に一体に形成される可動片２８Ｒｍとを含んで構成されている。
【００６０】
可動片２８Ｒｍにおける固定片２８Ｒｆの一端に連なる部分には、弾性変位可能な湾曲部が、マイクロＳＤカードＳＭＣの側部が通過する部分に切欠部１２ｇａを介して張り出すように形成されている。切欠部１２ｇａは、溝１２Ｇの内部とカード収容部１４の内部とを連通させるように形成されている。ロック部材２８Ｒの湾曲部と相対向するロック部材２８Ｌの湾曲部との相互間距離は、マイクロＳＤカードＳＭＣの横幅寸法よりも若干大なる寸法であって、ＭＭＣマイクロカードＭＭＣの横幅寸法よりも小なる寸法とされる。
【００６１】
可動片２８Ｒｍの一端には、上述の誤挿入規制部材２２の係合部２２ＥＲが挿入される矩形状の開口部２８Ｈが形成されている。開口部２８Ｈの周縁と係合部２２ＥＲの外周部との間には、可動片２８Ｒｍの一端が移動し得るような所定の隙間が形成されている。
【００６２】
これにより、ＭＭＣマイクロカードＭＭＣの側部がロック部材２８Ｒの湾曲部と相対向するロック部材２８Ｌの湾曲部との間を通過する場合、各湾曲部がＭＭＣマイクロカードＭＭＣの両側部によりそれぞれ押圧されるので可動片２８Ｒｍの開口部２８Ｈは、誤挿入規制部材２２の係合部２２ＥＲに対し離隔することとなる。従って、ロック部材２８Ｒ、２８Ｌは、誤挿入規制部材２２を回動可能となるようにアンロック状態にする。
【００６３】
一方、ロック部材２８Ｒの湾曲部と相対向するロック部材２８Ｌの湾曲部とを押圧する状態から非押圧状態とされる場合、例えば、ＭＭＣマイクロカードＭＭＣがカード収容部１４から排出された場合、可動片２８Ｒｍは、その湾曲部の復元力により、上述の初期の位置に戻り、開口部２８Ｈは、ねじりコイルバネ３２の付勢力により付勢され回動された誤挿入規制部材２２の係合部２２ＥＲに対し再び挿入されることとなる。従って、ロック部材２８Ｒ、２８Ｌは、誤挿入規制部材２２を再び、初期状態のようにロック状態とすることとなる。
【００６４】
斯かる構成において、ＳＤマイクロカードＳＭＣがカード収容部１４の正規の位置に装着される場合、図１２および図１３に示されるように、挿入されたＳＤマイクロカードＳＭＣの先端が、カードスロットの案内部１２Ｓｂおよびロック部材２８Ｒの湾曲部と相対向するロック部材２８Ｌの湾曲部との相互間を通過し、図１４に示されるように、誤挿入規制部材２２の連結部２２Ｔの窪み２２ａを通過して正規の仕切板３０の上方のカード収容部の部位に導入されることとなる。その際、上述のイジェクト部材２４Ｊにより所定位置に保持されることとなる。
【００６５】
一方、ＳＤマイクロカードＳＭＣがカード収容部１４から取り出される場合、ＳＤマイクロカードＳＭＣがイジェクト部材２４Ｊに当接した状態でさらに若干押し込まれることにより、イジェクト機構のコイルスプリング２４Ｓの付勢力により、イジェクト部材２４ＪとともにＳＤマイクロカードＳＭＣが排出方向に移動せしめられる。
【００６６】
また、仮に、ＳＤマイクロカードＳＭＣが誤ってコンタクトパッドが形成されていない端部が進行方向に向けられて挿入された、所謂、逆差しの場合、あるいは、図１２に二点鎖線で示されるように、裏差しの場合、ＳＤマイクロカードＳＭＣの端部が上述のカバー部材１０の突起片１０Ｓに当接することにより、その誤った挿入操作が規制されることとなる。
【００６７】
さらに、例えば、図１５（Ａ）、図１５（Ｂ）に示されるように、先ず、その進行方向の端部が誤挿入規制部材２２の当接面２２ｔに当接し、その進行方向の端部の左側側部がロック部材２８Ｌの湾曲部を押圧したとき、上述したように、可動片２８Ｌｍが誤挿入規制部材２２の係合部２２ＥＬから離隔され、誤挿入規制部材２２は、アンロック状態とされる。
【００６８】
次に、アンロック状態とされた誤挿入規制部材２２の当接面２２ｔが、ＳＤマイクロカードＳＭＣにおける進行方向の端部でねじりコイルバネ３２の付勢力に抗してさらに押圧されるとき、ねじりコイルバネ３２の付勢力と可動片２８Ｌｍの復元力とが釣り合い、図１６（Ｂ）に示されるように、開口部２８Ｈに対して離脱した誤挿入規制部材２２の係合部２２ＥＬの端面が可動片２８Ｌｍに当接した状態で保持されることとなる。その際、誤挿入規制部材２２の係合部２２ＥＲは、その切欠部２２Ｎの一部が開口部２８Ｈの周縁に嵌まるように図９に実線で示される状態から二点鎖線で示される状態に軸部２２ＳＲの中心軸線を中心として回転せしめられる。従って、図１５（Ｃ）に示されるように、係合部２２ＥＲはアンロック状態とはならないので誤挿入規制部材２２は、ＳＤマイクロカードＳＭＣにおける下方のカード収容部への誤った挿入操作を阻止することとなる。
【００６９】
続いて、図１６（Ａ）に示されるように、ＳＤマイクロカードＳＭＣにおける進行方向の端部が誤挿入規制部材２２の当接面２２ｔに当接した状態で、その進行方向の端部の右側側部がロック部材２８Ｒの湾曲部を押圧したとき、上述したように、誤挿入規制部材２２の係合部２２ＥＲは、その切欠部２２Ｎの一部が開口部２８Ｈの周縁に嵌まるように回転せしめられているので誤挿入規制部材２２の係合部２２ＥＲが、図１６（Ｃ）に示されるように、ロック部材２８Ｒの開口部２８Ｈに対してロック状態が維持され、アンロック状態とはならない。従って、誤挿入規制部材２２は、ＳＤマイクロカードＳＭＣの挿入操作を阻止することとなる。
【００７０】
そして、ＳＤマイクロカードＳＭＣにおける進行方向の端部が誤挿入規制部材２２の当接面２２ｔに対しカード排出方向に離隔したとき、誤挿入規制部材２２の係合部２２ＥＬは、コイルバネ３２の付勢力により初期位置に戻されることにより、その係合部２２ＥＬは、ロック部材２８Ｌの開口部２８Ｈに対してロック状態に戻ることとなる。
【００７１】
マイクロＭＭＣカードＭＭＣがカード収容部１４に装着される場合、図６に示されるように、カードスロットを通過するマイクロＭＭＣカードＭＭＣの先端部により、ロック部材２８Ｒの湾曲部と相対向するロック部材２８Ｌの湾曲部とが互いに離隔する方向に押圧されることとなる。これにより、可動片２８Ｒｍおよび可動片２８Ｌｍの開口部２８Ｈが、それぞれ、誤挿入規制部材２２の係合部２２ＥＲおよび２２ＥＬに対し離隔せしめられる。従って、誤挿入規制部材２２は、アンロック状態とされる。
【００７２】
次に、マイクロＭＭＣカードＭＭＣの先端部がさらに進行方向に沿って挿入されることにより、マイクロＭＭＣカードＭＭＣの先端部が誤挿入規制部材２２の当接面２２ｔに当接した状態で誤挿入規制部材２２がねじりコイルバネ３２の付勢力に抗して回動されることにより、図６に実線で示されるように、誤挿入規制部材２２および仕切板３０の真下を通過してイジェクト部材２４ＪＳにより所定位置に保持されることとなる。
【００７３】
一方、マイクロＭＭＣカードＭＭＣがカード収容部１４から取り出される場合、マイクロＭＭＣカードＭＭＣがさらに若干押し込まれることにより、イジェクト機構のコイルスプリング２４Ｓの付勢力により、イジェクト部材２４ＪＳとともにマイクロＭＭＣカードＭＭＣが排出方向に移動せしめられる。その際、誤挿入規制部材２２がねじりコイルバネ３２の付勢力により、カードスロット側に向けて回動されるとともに、ロック部材２８Ｒの可動片２８Ｒｍの開口部２８Ｈと相対向するロック部材２８Ｌの可動片Ｌｍの開口部２８Ｈが、その復元力により、係合部２２ＥＲおよび２２ＥＬに対向する位置に戻り、挿入される。これにより、誤挿入規制部材２２が再び、初期のロック状態に戻される。
【００７４】
また、図６に二点鎖線で示されるように、マイクロＭＭＣカードＭＭＣが誤って裏差しされた場合、マイクロＭＭＣカードＭＭＣの先端が回動された誤挿入規制部材２２の突起部２２Ｐに当接することにより、誤った裏差し挿入操作が規制されることとなる。
【００７５】
さらに、図１０および図１１に示されるように、マイクロＭＭＣカードＭＭＣが誤って逆差しされた場合、マイクロＭＭＣカードＭＭＣの端部が回動された誤挿入規制部材２２の突起部２２Ｐに当接することにより、誤った逆差し挿入操作が規制されることとなる。
【図面の簡単な説明】
【００７６】
【図１】本発明に係るＩＣカード誤挿入防止機構を備えるＩＣカード用コネクタの一例に用いられる誤挿入規制部材を示す斜視図である。
【図２】本発明に係るＩＣカード誤挿入防止機構を備えるＩＣカード用コネクタの一例の外観を示す平面図である。
【図３】図２に示される例においてカバー部材を取り外した状態を示す平面図である。
【図４】図２に示される例における正面図である。
【図５】本発明に係るＩＣカード誤挿入防止機構を備えるＩＣカード用コネクタの一例に用いられる誤挿入規制部材を示す斜視図である。
【図６】図２に示される例における動作説明に供される平面図である。
【図７】図２に示される例における動作説明に供される正面図である。
【図８】図２に示される例における動作説明に供される斜視図である。
【図９】図２に示される例における動作説明に供される図である。
【図１０】図２に示される例における動作説明に供される平面図である。
【図１１】図１０に示される状態を示す斜視図である。
【図１２】図２に示される例における動作説明に供される平面図である。
【図１３】図１２に示される状態を示す斜視図である。
【図１４】図１２に示される状態を示す正面図である。
【図１５】（Ａ）は、図２に示される例における動作説明に供される平面図であり、（Ｂ）、および（Ｃ）は、それぞれ、図１５（Ａ）における部分拡大図である。
【図１６】（Ａ）は、図２に示される例における動作説明に供される平面図であり、（Ｂ）、および（Ｃ）は、それぞれ、図１６（Ａ）における部分拡大図である。
【符号の説明】
【００７７】
１０    カバー部材
１０Ｓ    突起片
１４    カード収容部
１６ａｉ、１８ａｉ    コンタクト端子
２２    誤挿入規制部材
２２Ｐ    突起部
２２ａ    窪み
２２ｔ    当接面
２８Ｒ、２８Ｌ    ロック部材
３２    ねじりコイルバネ
ＳＭＣ    マイクロＳＤカード
ＭＭＣ    ＭＭＣマイクロカード
【図１】
2007323944.tif 000003
【図２】
2007323944.tif 000004
【図３】
2007323944.tif 000005
【図４】
2007323944.tif 000006
【図５】
2007323944.tif 000007
【図６】
2007323944.tif 000008
【図７】
2007323944.tif 000009
【図８】
2007323944.tif 000010
【図９】
2007323944.tif 000011
【図１０】
2007323944.tif 000012
【図１１】
2007323944.tif 000013
【図１２】
2007323944.tif 000014
【図１３】
2007323944.tif 000015
【図１４】
2007323944.tif 000016
【図１５】
2007323944.tif 000017
【図１６】
2007323944.tif 000018